(57)【要約】      （修正有）【課題】椅子に座って行なう作業、例えば家庭内での勉強或いは靴を脱いで行なう仕事に適した暖房装置を簡単な構造とすると共に容易に取り扱うことが出来るようにして、暖房費のトータルコストを低減し、結果として省資源対策、環境対策にも貢献可能な暖房装置付足のせ台を提供すると共に、冬季のみという短期間だけ使用し、その他の期間は物置等で保管されている期間限定商品である暖房装置を年間を通して活用出来るようにし、特に椅子に座って行なう作業で発生する下半身の疲れを癒す健康器具としての機能をも持たせた暖房装置付足のせ台を提供する。【解決手段】面状発熱体を内蔵させた足のせ台本体Ｈを電気的に通電させることで暖房装置として機能させると共に、足のせ台本体Ｈの裏面に支持部材４を横設して、該支持部材４を支点として揺動させるようにする。【選択図】図１
2008202926.tif 000002
【特許請求の範囲】
【請求項１】
面状発熱体を内蔵させた足のせ台本体を電気的に通電させることで暖房装置として機能させると共に、足のせ台本体の裏面に支持部材を横設して、該支持部材を支点として揺動させるようにしたことを特徴とする暖房装置付足のせ台。
【請求項２】
足のせ台本体の構成部品の内、暖房ユニット収納枠体と裏面板状部材を木材で形成し、表面板状部材をコルクで形成したことを特徴とする請求項１記載の暖房装置付足のせ台。
【請求項３】
支持部材の足のせ台本体への取付けに於いて、足のせ台本体の裏面であって、上下方向の中心線上に横設するようにしたことを特徴とする請求項１及び請求項２記載の暖房装置付足のせ台。
【請求項４】
支持部材に於いて、足のせ台本体への取付け側とは反対側を曲面状部としたことを特徴とする請求項１〜請求項３記載の暖房装置付足のせ台。
【請求項５】
支持部材に於ける曲面状部を波状としたことを特徴とする請求項４記載の暖房装置付足のせ台。
【発明の詳細な説明】
【技術分野】
【０００１】  寒い冬季に於いては足もとの暖房装置として使用されると共に健康器具としても使用可能な暖房装置付足のせ台に関するものである。
【背景技術】
【０００２】  暖房装置にはエアコンやストーブを始め炬燵、ホットカーペット更に床暖房装置等色々な種類がある。そして、それら暖房装置は使用する居住空間の広さ等条件に合うよう幾つかの仕様にバリエーション化されている。【０００３】  然し、エアコンがあるから、炬燵があるから或いは床暖房装置があるからすべて良しとはいかないのが現実である。それは、同じ温度であっても丁度良いと感じる人と寒いと感じる人がいるからである。こうした現象は人間の温度に対する皮膚感覚の相違によるものであり、この相違によって、居住空間に合わせた暖房装置を設置しても、必要以上に高温に設定したり、場合によっては他の装置を併せて使用する、即ち２種類の暖房装置を同時に使用することが行なわれている。例えば、エアコンを使用している部屋の机で勉強していることを想定してみる。エアコンにより雰囲気温度は高くなっているので腰から上は問題ないが、腰から下特に足元が寒いということが起こり得る。そこで、厚手の靴下を履いたり、暖かい毛で作られたスリッパを履いて対応する場合があるが充分ではなく、又相応な暖房装置もない。こうした状況から、エアコンを使用しながら足元に小さな電気ストーブ等を用いたり、時には床暖房装置もしくはエアコンと通常のストーブを併用することが日常的に行なわれているのが現状である。【０００４】  このような使用の仕方は、暖房費が高くなるばかりでなく、エネルギーの無駄使いに繋がり、省資源対策そして広く考えれば環境問題対策へも背を向けることになる。
【発明の開示】
【発明が解決しようとする課題】
【０００５】  本発明は、こうした従来技術の問題点に鑑み、椅子に座って行なう作業、例えば家庭内での勉強或いは靴を脱いで行なう仕事に適した暖房装置を簡単な構造とすると共に容易に取り扱うことが出来るようにして、暖房費のトータルコストを低減し、結果として省資源対策、環境対策にも貢献可能な暖房装置付足のせ台を提供することを目的としている・【０００６】  加えて、冬季のみという短期間だけ使用し、その他の期間は物置等で保管されている期間限定商品である暖房装置を年間を通して活用出来るようにし、特に椅子に座って行なう作業で発生する下半身のむくみや疲れを癒す健康器具としての機能をも持たせた暖房装置付足のせ台を提供することを目的としている。
【課題を解決するための手段】
【０００７】  上記目的を達成するために、請求項１記載の発明は、面状発熱体を内蔵させた足のせ台本体を電気的に通電させることで暖房装置として機能させると共に、足のせ台本体の裏面に支持部材を横設して、該支持部材を支点として揺動させるようにしたものである。このように構成したことにより、足を暖房装置である足のせ台本体に直接乗せることにより、効率良く暖を取ることが出来るのと併せ、暖を取りながら足を前後に揺動させることで、更に効率良く暖を取ることが出来るし、椅子に座って行なう作業で発生する下半身のむくみや疲れを癒すことが出来る。そして、使い方を変えて、支持部材に足をのせ、足の裏を支持部材の曲面状部にあてがい、強く或いは弱く適した力を加えることで下半身のむくみや疲れを癒すことが出来る。【０００８】  請求項２記載の発明は、足のせ台本体の構成部品の内、暖房ユニット収納枠体と裏面板状部材を木材で形成し、表面板状部材をコルクで形成したものである。このように構成したことにより、軽量化が図れることから、取扱いが容易になり、表面板状部材をコルクで形成したことから、足を乗せたときの感触を良好なものとすることが出来る。【０００９】  請求項３記載の発明は、支持部材の足のせ台本体への取付けに於いて、足のせ台本体の裏面であって、上下方向の中心線上に横設するようにしたものである。このように構成したことにより、暖房装置付足のせ台と設置面とのバランスが良くなり、支持部材を支点として揺動させた時に、スムースな動きを得ることが出来る。【００１０】  請求項４記載の発明は、支持部材に於いて、足のせ台本体への取付け側とは反対側を曲面状部としたものである。このように構成したことにより、支持部材を支点として揺動させた時に、前記曲面状部の曲面部分と設置面が当接するようになるので、スムースな動きを得ることが出来る。【００１１】  請求項５記載の発明は、支持部材に於ける曲面状部を波状としたものである。このように構成したことにより、支持部材に足をのせ、足の裏を支持部材の曲面状部にあてがい、強く或いは弱く適した力を加えると曲面状部の凹凸により、足の裏にかかる負荷が部分的に微妙に異なり、これによって、下半身のむくみや疲れを更に効果的に癒すことが出来る。
【発明の効果】
【００１２】  本発明は、以上説明したように構成されているので、下記に説明するような効果を奏する。【００１３】  本発明による暖房装置付足のせ台は、面状発熱体を内蔵させた足のせ台本体を電気的に通電させることで暖房装置として機能させると共に、足のせ台本体の裏面に支持部材を横設して、該支持部材を支点として揺動させるようにしたので、足を暖房装置である足のせ台本体に直接乗せることにより、効率良く暖を取ることが出来るのと併せ、暖を取りながら足を前後に揺動させることで、更に効率良く暖を取ることが可能となる。足は敏感に寒さを感じるところであり、それ故、足を直接効率良く暖めることにより、全身に暖かさが感じられるようになり、エアコンを使用しながら足元に小さな電気ストーブ等を用いる、所謂暖房装置の二重使用が極めて少なくなる。これによって、暖房費のトータルコスト低減が可能となり、結果として省資源対策、環境対策にも貢献出来るようになる。更に、単に足を乗せて揺動させたり、使い方を変えて、支持部材に足をのせ、足の裏を支持部材の曲面状部にあてがい、強く或いは弱く適した力を加えることが出来るようにしたので、椅子に座って行なう長時間作業で発生する血行不良による下半身特に足首のむくみや疲れを癒すことが可能となり、場合によっては、長時間一定の姿勢を続けることにより起こるエコノミー症候群に類する大きな病気の予防にもなり、暖房装置としてばかりでなく、健康器具としても年間を通して活用することが可能となって、利用効率を格段に向上させることが出来る。【００１４】  更に、本発明による暖房装置付足のせ台は、足のせ台本体の構成部品の内、暖房ユニット収納枠体と裏面板状部材を木材で形成し、表面板状部材をコルクで形成したので、軽量化が図れることから、取扱いが容易になり、表面板状部材をコルクで形成したことから、足を乗せたときの感触が柔らかなものとなり、フィット感を向上させることが出来る。【００１５】  更に、本発明による暖房装置付足のせ台は、支持部材の足のせ台本体への取付けに於いて、足のせ台本体の裏面であって、上下方向の中心線上に横設するようにしたので、暖房装置付足のせ台と設置面とのバランスが良くなり、支持部材を支点として揺動させた時に、スムースな動きを得ることが出来る。【００１６】  更に、本発明による暖房装置付足のせ台は、支持部材に於いて、足のせ台本体への取付け側とは反対側を曲面状部としたので、支持部材を支点として揺動させた時に、前記曲面状部の曲面部分と設置面が当接するようになるので、スムースな動きを得ることが出来る。【００１７】  更に、本発明による暖房装置付足のせ台は、支持部材に於ける曲面状部を波状としたので、支持部材に足をのせ、足の裏を支持部材の曲面状部にあてがい、強く或いは弱く適した力を加えると曲面状部の凹凸により、足の裏にかかる負荷が部分的に微妙に異なり、これによって、もみ治療効果が向上し、下半身のむくみや疲れを更に効果的に癒すことが出来る。
【発明を実施するための最良の形態】
【００１８】  以下、本発明の実施の形態を図１〜図１３に基づき詳細に説明する。図１は本発明による暖房装置付足のせ台の一実施形態であって、該暖房装置付足のせ台を設置面と平行状態とした時の平面図、図２は図１のＸ矢視図であり、図３は図１のＡ−Ａ断面図、図４は図１のＹ矢視図、更に図５は図１のＢ−Ｂ断面図である。図６は本発明による暖房装置付足のせ台の暖房ユニット収納枠体の一実施形態を示す平面図であり、図７は本発明による暖房装置付足のせ台の表面板状部材の一実施形態を示す斜視図である。図８は本発明による暖房装置付足のせ台の裏面板状部材と支持部材の一実施形態及びその組付状態を示す斜視図で、図９は図８のＣ−Ｃ断面図である。図１０は本発明による暖房装置付足のせ台の支持部材に於ける他の実施形態を示す平面図であって、図１１は図１０のＺ矢視図である。図１２は図１１のＤ−Ｄ断面図、図１３は同じく図１１のＥ−Ｅ断面図である。【００１９】  それでは、本発明による暖房装置付足のせ台の基本構成を図１〜図４により説明する。Ｈは暖房装置としての機熊を有する足のせ台本体であって、該足のせ台本体Ｈは、図１に示すように縦に比べて横の長さが幾分長い平面視長方形を呈した一見平板状（薄い直方体）として構成され、その内部には後述する面状発熱体７が内蔵されている。４は足のせ台本体Ｈの裏面側中央部に横設された棒状の支持部材である。このように本発明による暖房装置付足のせ台は、支持部材４を前記足のせ台本体Ｈの裏面中央部に取付け固定することで構成され、支持部材４を支点として揺動するようになっている。【００２０】  足のせ台本体Ｈは、暖房ユニット収納枠体１と表面板状部材２そして裏面板状部材３更に暖房ユニットである面状発熱体７、均熱板６、断熱材５を主要構成部品とするものであるが、その詳細について引き続き説明することにする。【００２１】  図６に示すように、暖房ユニット収納枠体１は、平面視長方形を呈した木製の平板状部材から成り、表面側には上下の縁部分を残した広い範囲に、略一定の深さを持った溝である凹設部１５が設けられ、裏面側にも同様に凹設部１６が形成されている。そして凹設部１５，１６の間の板状部分には、開放窓部１７が貫設され、該開放窓部１７には図６で理解出来るように連続して開放窓部１８が貫設され、更に開放窓部１８に連続してコンセント配置部１９が形成されている。開放窓部１７には暖房ユニットが、開放窓部１８には前記暖房ユニットを電気的に接続するためのコネクタ１２が、そしてコンセント配置部１９にはコネクタに付設するよう設けられているコンセント部１３が配置収納可能となっている。【００２２】  図７は表面板状部材２の斜視図である。該表面板状部材２は平面視長方形を呈した平板状として形成され、使用する材料は木材やコルク或いはセラミック更には金属等いずれも可であるが、使用時の感触そして見た時の感じから木材又はコルクがより適している。裏面板状部材３は図８に示すように、前記表面板状部材２と同じように平面視長方形を呈した平板状と成っていて、上下両側の端部近傍に複数（図に於いては上下３ヶ所づつ計６箇所）の取付孔２０を有している。使用する材料としては、木材、セラミック、金属等となるが表��板状部材２との関連で木材が適している。【００２３】  次に、図３と図５を参照しながら暖房ユニットについて説明することにする。尚、本発明による暖房装置付足のせ台に使用する暖房ユニットは、面状発熱体を利用した一般的なものであるので、図面は必要最小限にとどめ、説明に於いても同様に必要最小限にしておくことにする。【００２４】  暖房ユニットは、前述したように、面状発熱体７と均熱板６及び断熱材５を主要構成要素とするものであり、順次説明していくことにする。面状発熱体７は、電極として機能する銀部分及び発熱体として機能するＰＴＣ部分と接着剤として機能するホットメルト部分をポリエチレン製のベースの表面に印刷等により被着させ、その上面をポリエチレン製のカバーでもって覆ったものである。暖房ユニットは、前記面状発熱体７の上面側に均熱板６を載置し、下面側には断熱材５を配設して、面状発熱体７の熱を均等に波及させながら放熱を極力防止したものとなっている。更に面状発熱体７には、該面状発熱体７の銀部分即ち電極と電気的に接続したフラット状の２本の電源線が付設されている。一方の電源線が前記電極のプラス側に接続されていて、他方の電源線が電極に於けるマイナス側に接続されていることは云うまでもない。【００２５】  ところで、足のせ台本体Ｈが暖房ユニット収納枠体１と表面板状部材２そして裏面板状部材３更に暖房ユニットを主要構成部品としていることは、既に述べた通りであるが、引き続き、それぞれの部品がどのように組付け配設されているのかを詳細に説明することにする。【００２６】  その組付けは、最初に表面板状部材２を暖房ユニット収納枠体１の凹設部１５に接着剤等により取付け固定することにより行なわれるのであるが、凹設部１５の大きさ（縦、横、溝深さ）が、あらかじめ表面板状部材２の大きさに合致させて形成されていることから、容易に適正に行なわれる。そして後、暖房ユニット収納枠体１の開放窓部１７に暖房ユニットを収納する。この時、暖房ユニットに於ける面状発熱体７の所定部分には、該面状発熱体７の電源線に電気的に接続されたコネクタ１２が一体的に取り付けられているのであるが、暖房ユニットを収納するのと同時に開放窓部１８に収納される。暖房ユニット収納後裏面板状部材３を凹設部１６に嵌着し、裏面板状部材３に設けた取付孔２０を介し、皿木ネジ１４等でもって暖房ユニット収納枠体１に確実に取付け固定される。このように組み込まれた足のせ台本体Ｈの上下左右の縁部には、ゴムやプラスチック或いは布で作られたカバー８，９及び１０，１１が接着剤等で取り付けられていて、縁部の保護と共に足のせ台本体Ｈの見栄えを向上させている。又、足のせ台本体Ｈの上下縁部即ち暖房ユニット収納枠体１の上下縁部は厚さ方向に曲面となっているが、これは意匠的な考えと危険防止のためであり、場合によっては上下だけではなく、左右側縁も曲面としても良い。【００２７】  尚、前述した本発明による暖房装置付足のせ台に於ける足のせ台本体Ｈは、あくまで実施例であり、これに限定されるものではなく、種々改変可能であり、要は一般的な面状発熱体を内蔵した平面視方形（長方形或いは正方形）の比較的薄い平板状のものとして形成され、通電により、暖房装置���して機能すれば良く、又平面視方形といっても、必ずしもコーナー部を角張ったものとする必要はなく、Ｒ状としても良いので、念のため付言して置く。【００２８】  それでは、図１と図４及び図８を参照しながら、本発明による暖房装置付足のせ台について、更に説明して行くことにする。暖房装置付足のせ台は、足のせ台本体Ｈの裏面に支持部材４を取り付けることで成り、該支持部材４は木材を材料とした棒状の部材で、略台形状の断面を呈し、上辺部が曲面状部２２となっている。この支持部材４は、図１に示すように、足のせ台本体Ｈの裏面即ち裏面板状部材３の裏側であって、上下方向の中心線上に横設されている。図９は、その取付け状態を示すものであり、裏面板状部材３に形成した位置決め用の浅い溝２１に、曲面状部２２とは反対側の下辺部を嵌着させるようにして、接着剤或いは木ネジ等により取付け固定するようになっている。尚、支持部材４の材料を木材としたが、木材に限定する必要はなく、ゴムやプラスチックであっても良いのは勿論である。又、裏面板状部材３への支持部材４の取り付けに当たり、前記裏面板状部材３の溝２１を利用する旨説明したが、溝２１を形成せずに取り付け固定するようにしても差し支えない。更に、足のせ台本体Ｈへの支持部材４の取付け位置について、足のせ台本体Ｈの裏面即ち裏面板状部材３の裏側であって、上下方向の中心線上に横設と説明したが、これは、中心線上とすることで暖房装置付足のせ台を揺動させ易くなるからであるが、必要に応じて上下方向に平行的にづらして取り付け固定しても良い。づらすことで揺動させ難くなり、かえって効果的な運動が得られるようにもなる。従って、支持部材４の取付け位置を調整出来るようにしても良いのは云うまでもないことである。【００２９】  図１０〜図１２は、本発明による暖房装置付足のせ台の支持部材に於ける他の実施形態を示したものである。支持部材４０は木材を材料とした棒状の部材で、略台形状の断面を呈し、上辺部が曲面状部４１となっている。この点に於いては、材料を含め、前述した支持部材４と同様であるが上辺部の形状が異なっている。本実施形態に於ける支持部材４０は、図１１に示したように曲面状部４１が波状となっていて、谷部４１と山部４２が連続して形成されている。更に支持部材について付言すれば、支持部材の曲面状部をゴムやプラスチックで別に形成し、支持部材に接着剤等でもって一体的に取り付けるようにしても良いので念のため記載して置く。尚、足のせ台本体Ｈへの取付け固定は、前記支持部材４と同様であるので、説明は省略するものとする。【００３０】  次に、こうした構成になる暖房装置付足のせ台の使用方法について説明する。まず最初に、椅子に座った状態で、その足もとに本発明による暖房装置付足のせ台を支持部材を下側にして置くことから始める。勿論この時には、図示しないコードがコンセント部１３に接続されており、通電状態となっていることは云うまでもない。図示しないスイッチをＯＮさせると面状発熱体７が昇温することで表面板状部材２が暖められる。そして暖められた表面板状部材２の上に足を乗せることで暖を取ることが出来ることになる。尚、前記図示しないコードは足のせ台本体Ｈに対して着脱可能とな���ているので、暖房装置として使用しない時や単に健康器具として使用する時等は、前記足のせ台本体Ｈと別に収納保管することが出来る。更に前記図示しないスイッチを設けることなく、前記図示しないコードを接続することで直接通電するようにしても良いので念のため付言して置く。【００３１】  更に、本発明による暖房装置付足のせ台は、暖を取りながら支持部材を支点として前後方向に揺動させることが出来る。これは長時間座ることで発生する足のむくみや疲れを癒すばかりでなく、足を動かすことで暖房効果を更に向上させることにもなる。【００３２】  このように暖房装置として使用する一方、健康器具として使用することが出来るので、その使用方法を説明する。第一に暖房装置付足のせ台の支持部材を下側にして、その上に足を乗せて、暖房装置付足のせ台を前後方向に揺動させる。この方法は、前述した暖房装置としての使い方と同じであるが、暖房装置として使用するのではなく、長時間座ることで発生する足のむくみや疲れを癒すための使い方である。【００３３】  第二の使用方法は、支持部材を上にして使用する方法であって、椅子に座った状態で足を支持部材の上に乗せるのである。そして足の裏を支持部材の曲面状部にあてがい、強く或いは弱く適した力を加えるようにする方法である。これによって足の裏に刺激が加わり、長時間座ることで発生する足のむくみや疲れを癒すことが出来るようになる。
【図面の簡単な説明】
【００３４】
【図１】本発明による暖房装置付足のせ台の一実施形態であって、該暖房装置付足のせ台を設置面と平行状態とした時の平面図である。
【図２】図１のＸ矢視図である。
【図３】図１のＡ−Ａ断面図である。
【図４】図１のＹ矢視図である。
【図５】図１のＢ−Ｂ断面図である。
【図６】本発明による暖房装置付足のせ台の暖房ユニット収納枠体の一実施形態を示す平面図である。
【図７】本発明による暖房装置付足のせ台の表面板状部材の一実施形態を示す斜視図である。
【図８】本発明による暖房装置付足のせ台の裏面板状部材と支持部材の一実施形態及びその組付状態を示す斜視図である。
【図９】図８のＣ−Ｃ断面図である。
【図１０】本発明による暖房装置付足のせ台の支持部材に於ける他の実施形態を示す平面図である。
【図１１】図１０のＺ矢視図である。
【図１２】図１１のＤ−Ｄ断面図である。
【図１３】図１１のＥ−Ｅ断面図である。
【符号の説明】
【００３５】      １  暖房ユニット収納枠体          ４０  支持部材
２  表面板状部材                  ４１  曲面状部
３  裏面板状部材                  ４２  谷部
４  支持部材                      ４３  山部
５  断熱材                        Ｈ  足のせ台本体
６  均熱板
７  面状発熱体
８、９，１０，１１  カバー
１２  コネクタ
１３  コンセント部
１４  皿木ネジ
１５，１６  凹設部
１７，１８  開放窓部
１９  コンセント配置部
２０  取付孔
２１  溝部
２２  曲面状部
【図１】
2008202926.tif 000003
【図２】
2008202926.tif 000004
【図３】
2008202926.tif 000005
【図４】
2008202926.tif 000006
【図５】
2008202926.tif 000007
【図６】
2008202926.tif 000008
【図７】
2008202926.tif 000009
【図８】
2008202926.tif 000010
【図９】
2008202926.tif 000011
【図１０】
2008202926.tif 000012
【図１１】
2008202926.tif 000013
【図１２】
2008202926.tif 000014
【図１３】
2008202926.tif 000015